(57)【要約】【課題】ファインダ内で主要被写体の動きを捉えながら、該主要被写体の周囲環境を把握することが可能な画像記録システム、カメラ及び被写体観察システムを提供することである。【解決手段】主要被写体１の位置に関する情報と、この主要被写体１と異なる準主要被写体２の位置に関する情報が、少なくとも３つの送受信機３ａ〜３ｃに向けて出力される。そして、上記少なくとも３つの送受信機３ａ〜３ｃから出力された情報に基づいて、パーソナルコンピュータ５にて、主要被写体１と準主要被写体２との位置関係が演算される。パーソナルコンピュータ５でこのように演算された主要被写体１と準主要被写体２との位置関係は、カメラ６の表示部に表示される。【選択図】      図１
2005203860.tif 000002
【特許請求の範囲】
【請求項１】
第１の被写体の位置に関する情報を出力する第１位置情報出力手段と、
上記第１の被写体と異なる第２の被写体の位置に関する情報を出力する第２位置情報出力手段と、
上記第１位置情報出力手段と第２位置情報出力手段との出力に基づいて、上記第１の被写体と第２の被写体との位置関係を演算する演算手段と、
上記演算手段で演算された上記第１の被写体と第２の被写体との位置関係を表示する表示手段と、
を具備することを特徴とする画像記録システム。
【請求項２】
上記演算手段は、時系列で上記第１の被写体と第２の被写体との位置関係を演算可能であって、
上記演算手段による時系列での位置演算結果に基づき、上記第１の被写体と第２の被写体とが互いに接近中であるか離間中であるかを判別する接近・離間判別手段を更に具備し、
上記表示手段は、上記接近・離間判別手段の判別結果に基づいて、上記第１の被写体と第２の被写体とが互いに接近中及び離間中の何れかであるかを識別可能に表示することを特徴とする請求項１に記載の画像記録システム。
【請求項３】
上記第１の被写体と第２の被写体とが所定距離より近接したか否かを判別する近接状態判別手段を更に具備し、
上記表示手段は、上記近接状態判別手段の判別状態に基づいて、上記第１の被写体と第２の被写体とが、上記所定距離よりも近接したことを識別可能に表示することを特徴とする請求項１若しくは２に記載の画像記録システム。
【請求項４】
第１の被写体と、この第１の被写体と異なる第２の被写体とを設定する被写体設定手段と、
上記第１の被写体と共に移動可能であって、所定の信号を発信する第１の発信手段と、
上記第２の被写体と共に移動可能であって、所定の信号を発信する第２の発信手段と、
上記第１、第２の発信手段から発せられた信号を受信する、少なくとも３つの受信手段と、
上記少なくとも３つの受信手段にて受信した信号に基づいて、上記第１の被写体と第２の被写体との位置関係を演算する演算手段と、
画像記録範囲を確認するためのファインダと、
を具備し、
上記ファインダ内に上記第１の被写体と第２の被写体との位置関係に関する情報を表示することを特徴とする画像記録システム。
【請求項５】
カメラと共に移動可能であって、所定の信号を上記少なくとも３つの受信手段により受信可能に発信するカメラ側発信手段を更に具備し、
上記演算手段は、上記第１の被写体と上記カメラとの位置関係を演算可能であって、上記カメラは上記演算手段の演算結果に基づいて、合焦動作を行うことを特徴とする請求項４に記載の画像記録システム。
【請求項６】
外部装置から送信される第１の被写体と、この第１の被写体と異なる第２の被写体との互いの位置関係に関する情報が入力される入力部と、
上記入力部に入力された情報に基づいて、上記第１の被写体と第２の被写体との互いの位置関係に関する情報を表示する表示手段と、
を具備することを特徴とするカメラ。
【請求項７】
上記外部装置にて上記第１の被写体と上記カメラとの距離を演算するための情報を出力する位置情報出力部と、
上記位置情報出力部から上記入力部に入力される上記第１の被写体と上記カメラとの間の距離情報に基づいて合焦動作を行う制御手段と、
を更に具備することを特徴とする請求項６に記載のカメラ。
【請求項８】
上記第１の被写体と第２の被写体を特定するための設定手段と、
上記第１の被写体及び第２の被写体に関する情報を上記外部装置に出力する設定情報出力部と、
を更に具備することを特徴とする請求項７に記載のカメラ。
【請求項９】
第１の被写体の位置に関する情報を出力する第１位置情報出力手段と、
上記第１の被写体と異なる第２の被写体の位置に関する情報を出力する第２位置情報出力手段と、
少なくとも上記第１の被写体及び第２の被写体を観察する観察点の位置に関する情報を出力する第３位置情報出力手段と、
上記第１位置情報出力手段、第２位置情報出力手段及び第３位置情報出力手段の出力に基づいて、上記第１の被写体と第２の被写体との位置関係、上記観察点と上記第１の被写体との位置関係、及び上記観察点と上記第２の被写体との位置関係を演算する演算手段と、
上記演算手段で演算された上記第１の被写体と第２の被写体との位置関係、上記観察点と上記第１の被写体との位置関係、及び上記観察点と上記第２の被写体との位置関係の少なくとも１つを表示する表示手段と、
を具備することを特徴とする被写体観察システム。
【請求項１０】
上記演算手段は、上記第１の被写体と第２の被写体との位置関係、上記観察点と上記第１の被写体との位置関係、及び上記観察点と上記第２の被写体との位置関係を時系列で演算可能であることを特徴とする請求項９に記載の被写体観察システム。
【請求項１１】
上記演算手段による時系列での位置演算結果に基づき、上記第１の被写体と第２の被写体とが互いに接近中であるか離間中であるかを判別する接近・離間判別手段を更に具備し、
上記表示手段は、上記接近・離間判別手段の判別結果に基づいて、上記第１の被写体と第２の被写体とが互いに接近中及び離間中の何れかであるかを識別可能に表示することを特徴とする請求項１０に記載の被写体観察システム。
【請求項１２】
上記第１の被写体と第２の被写体とが所定距離より近接したか否かを判別する近接状態判別手段を更に具備し、
上記表示手段は、上記近接状態判別手段の判別状態に基づいて、上記第１の被写体と第２の被写体とが、上記所定距離よりも近接したことを識別可能に表示することを特徴とする請求項１０若しくは１１に記載の被写体観察システム。
【請求項１３】
上記第１の被写体と第２の被写体との位置関係、上記観察点と上記第１の被写体との位置関係、及び上記観察点と上記第２の被写体との位置関係のうち、何れの位置関係を上記表示手段に表示させるかを選択する選択手段を更に具備することを特徴とする請求項９に記載の被写体観察システム。
【請求項１４】
第１の被写体と、この第１の被写体と異なる第２の被写体とを設定する被写体設定手段と、
上記第１の被写体と共に移動可能であって、所定の信号を発信する第１の発信手段と、
上記第２の被写体と共に移動可能であって、所定の信号を発信する第２の発信手段と、
少なくとも上記第１の被写体及び第２の被写体を観察する観察点の位置に関する情報に対応した所定の信号を発信する第３の発信手段と、
上記第１、第２及び第３の発信手段から発せられた信号を受信する、少なくとも３つの受信手段と、
上記少なくとも３つの受信手段にて受信した信号に基づいて、上記第１の被写体と第２の被写体との位置関係、上記観察点と上記第１の被写体との位置関係、及び上記観察点と上記第２の被写体との位置関係を演算する演算手段と、
被写体を確認するためのファインダと、
を具備し、
上記ファインダ内に上記第１の被写体と第２の被写体との位置関係、上記観察点と上記第１の被写体との位置関係、及び上記観察点と上記第２の被写体との位置関係に関する情報の少なくとも１つを表示することを特徴とする被写体観察システム。
【発明の詳細な説明】
【技術分野】
【０００１】
本発明は画像記録システム、カメラ及び被写体観察システムに関し、より詳細には、複数の被写体の位置に関する情報を利用するシステム及びカメラに関するものである。
【背景技術】
【０００２】
従来、動いている被写体を撮影する場合、撮影者は、被写体の動きをカメラのファィンダ等で確認しながらピント合わせを行っていた。しかしながら、複数の被写体が存在している中で特定の主要被写体を撮影しようとする場合は、例えば、該主要被写体が他の被写体の後方に隠れる等、動いている主要被写体にピントを合わせることが困難な状況があった。
【０００３】
こうした動きのある被写体を撮影するため、例えば、被写体から発信された信号を受信してカメラが自動的に撮影を行うシステムが提案されている（例えば、特許文献１参照）。
【特許文献１】特開平７−１１１６１１号公報
【発明の開示】
【発明が解決しようとする課題】
【０００４】
上記特許文献１に開示されたシステムでは、自動撮影システムであるため、撮影者が所望の構図で撮影することが困難である。特に、複数の移動する被写体を同一画面内に撮影することができない。
【０００５】
一方、複数の移動する被写体を同一画面内に収めるように撮影する場合、両者の位置関係を把握することが必要となるが、一般に撮影範囲外に位置する被写体の位置を把握することは困難である。
【０００６】
例えば、複数の競技者がいる球技等のスポーツ撮影の場合、所望の被写体（競技者）と、その他の被写体としてボールや他の競技者とを同一画面内に撮影すると、臨場感のある写真を得ることができる。しかしながら、撮影者は、通常、ファィンダ等で確認できる範囲の被写体しか確認することができない。そのため、他の被写体の位置を把握することは、熟練を要する等、非常に困難である。この傾向は、特に、望遠、超望遠といった、長焦点距離のレンズを使用すると顕著となる。
【０００７】
したがって、本発明は上記実状に鑑みてなされたものであり、ファインダ内で主要被写体の動きを捉えながら、該主要被写体の周囲環境を把握することが可能な画像記録システム、カメラ及び被写体観察システムを提供することを目的とする。
【課題を解決するための手段】
【０００８】
すなわち、請求項１に記載の発明は、第１の被写体の位置に関する情報を出力する第１位置情報出力手段と、上記第１の被写体と異なる第２の被写体の位置に関する情報を出力する第２位置情報出力手段と、上記第１位置情報出力手段と第２位置情報出力手段との出力に基づいて、上記第１の被写体と第２の被写体との位置関係を演算する演算手段と、上記演算手段で演算された上記第１の被写体と第２の被写体との位置関係を表示する表示手段と、を具備することを特徴とする画像記録システム。
【０００９】
請求項２に記載の発明は、請求項１に記載の発明に於いて、上記演算手段は、時系列で上記第１の被写体と第２の被写体との位置関係を演算可能であって、上記演算手段による時系列での位置演算結果に基づき、上記第１の被写体と第２の被写体とが互いに接近中であるか離間中であるかを判別する接近・離間判別手段を更に具備し、上記表示手段は、上記接近・離間判別手段の判別結果に基づいて、上記第１の被写体と第２の被写体とが互いに接近中及び離間中の何れかであるかを識別可能に表示することを特徴とする。
【００１０】
請求項３に記載の発明は、請求項１若しくは２に記載の発明に於いて、上記第１の被写体と第２の被写体とが所定距離より近接したか否かを判別する近接状態判別手段を更に具備し、上記表示手段は、上記近接状態判別手段の判別状態に基づいて、上記第１の被写体と第２の被写体とが、上記所定距離よりも近接したことを識別可能に表示することを特徴とする。
【００１１】
請求項４に記載の発明は、第１の被写体と、この第１の被写体と異なる第２の被写体とを設定する被写体設定手段と、上記第１の被写体と共に移動可能であって、所定の信号を発信する第１の発信手段と、上記第２の被写体と共に移動可能であって、所定の信号を発信する第２の発信手段と、上記第１、第２の発信手段から発せられた信号を受信する、少なくとも３つの受信手段と、上記少なくとも３つの受信手段にて受信した信号に基づいて、上記第１の被写体と第２の被写体との位置関係を演算する演算手段と、画像記録範囲を確認するためのファインダと、を具備し、上記ファインダ内に上記第１の被写体と第２の被写体との位置関係に関する情報を表示することを特徴とする。
【００１２】
請求項５に記載の発明は、請求項４に記載の発明に於いて、カメラと共に移動可能であって、所定の信号を上記少なくとも３つの受信手段により受信可能に発信するカメラ側発信手段を更に具備し、上記演算手段は、上記第１の被写体と上記カメラとの位置関係を演算可能であって、上記カメラは上記演算手段の演算結果に基づいて、合焦動作を行うことを特徴とする。
【００１３】
請求項６に記載の発明は、外部装置から送信される第１の被写体と、この第１の被写体と異なる第２の被写体との互いの位置関係に関する情報が入力される入力部と、上記入力部に入力された情報に基づいて、上記第１の被写体と第２の被写体との互いの位置関係に関する情報を表示する表示手段と、を具備することを特徴とする。
【００１４】
請求項７に記載の発明は、請求項６に記載の発明に於いて、上記外部装置にて上記第１の被写体と上記カメラとの距離を演算するための情報を出力する位置情報出力部と、上記位置情報出力部から上記入力部に入力される上記第１の被写体と上記カメラとの間の距離情報に基づいて合焦動作を行う制御手段と、を更に具備することを特徴とする。
【００１５】
請求項８に記載の発明は、請求項７に記載の発明に於いて、上記第１の被写体と第２の被写体を特定するための設定手段と、上記第１の被写体及び第２の被写体に関する情報を上記外部装置に出力する設定情報出力部と、を更に具備することを特徴とする。
【００１６】
請求項９に記載の発明は、第１の被写体の位置に関する情報を出力する第１位置情報出力手段と、上記第１の被写体と異なる第２の被写体の位置に関する情報を出力する第２位置情報出力手段と、少なくとも上記第１の被写体及び第２の被写体を観察する観察点の位置に関する情報を出力する第３位置情報出力手段と、上記第１位置情報出力手段、第２位置情報出力手段及び第３位置情報出力手段の出力に基づいて、上記第１の被写体と第２の被写体との位置関係、上記観察点と上記第１の被写体との位置関係、及び上記観察点と上記第２の被写体との位置関係を演算する演算手段と、上記演算手段で演算された上記第１の被写体と第２の被写体との位置関係、上記観察点と上記第１の被写体との位置関係、及び上記観察点と上記第２の被写体との位置関係の少なくとも１つを表示する表示手段と、を具備することを特徴とする。
【００１７】
請求項１０に記載の発明は、請求項９に記載の発明に於いて、上記演算手段は、上記第１の被写体と第２の被写体との位置関係、上記観察点と上記第１の被写体との位置関係、及び上記観察点と上記第２の被写体との位置関係を時系列で演算可能であることを特徴とする。
【００１８】
請求項１１に記載の発明は、請求項１０に記載の発明に於いて、上記演算手段による時系列での位置演算結果に基づき、上記第１の被写体と第２の被写体とが互いに接近中であるか離間中であるかを判別する接近・離間判別手段を更に具備し、上記表示手段は、上記接近・離間判別手段の判別結果に基づいて、上記第１の被写体と第２の被写体とが互いに接近中及び離間中の何れかであるかを識別可能に表示することを特徴とする。
【００１９】
請求項１２に記載の発明は、請求項１０若しくは１１に記載の発明に於いて、上記第１の被写体と第２の被写体とが所定距離より近接したか否かを判別する近接状態判別手段を更に具備し、上記表示手段は、上記近接状態判別手段の判別状態に基づいて、上記第１の被写体と第２の被写体とが、上記所定距離よりも近接したことを識別可能に表示することを特徴とする。
【００２０】
請求項１３に記載の発明は、請求項９に記載の発明に於いて、上記第１の被写体と第２の被写体との位置関係、上記観察点と上記第１の被写体との位置関係、及び上記観察点と上記第２の被写体との位置関係のうち、何れの位置関係を上記表示手段に表示させるかを選択する選択手段を更に具備することを特徴とする。
【００２１】
請求項１４に記載の発明は、第１の被写体と、この第１の被写体と異なる第２の被写体とを設定する被写体設定手段と、上記第１の被写体と共に移動可能であって、所定の信号を発信する第１の発信手段と、上記第２の被写体と共に移動可能であって、所定の信号を発信する第２の発信手段と、少なくとも上記第１の被写体及び第２の被写体を観察する観察点の位置に関する情報に対応した所定の信号を発信する第３の発信手段と、上記第１、第２及び第３の発信手段から発せられた信号を受信する、少なくとも３つの受信手段と、上記少なくとも３つの受信手段にて受信した信号に基づいて、上記第１の被写体と第２の被写体との位置関係、上記観察点と上記第１の被写体との位置関係、及び上記観察点と上記第２の被写体との位置関係を演算する演算手段と、被写体を確認するためのファインダと、を具備し、上記ファインダ内に上記第１の被写体と第２の被写体との位置関係、上記観察点と上記第１の被写体との位置関係、及び上記観察点と上記第２の被写体との位置関係に関する情報の少なくとも１つを表示することを特徴とする。
【発明の効果】
【００２２】
本発明によれば、ファインダ内で主要被写体の動きを捉えながら、該主要被写体の周囲環境を把握することが可能な画像記録システム、カメラ及び被写体観察システムを提供することができる。
【発明を実施するための最良の形態】
【００２３】
以下、図面を参照して、本発明の実施形態を説明する。
【００２４】
初めに、図１を参照して、本発明の画像記録システム、カメラ及び被写体観察システムの概要について説明する。
【００２５】
図１に於いて、例えば、主要被写体１である選手と、準主要被写体２であるボールに、それぞれの被写体の位置に関する情報を出力する発信器が所持または取り付けられる。そして、これらの発信器から発せられた信号は、少なくとも３つの送受信機３ａ、３ｂ、３ｃにより受信される。上記少なくとも３つの送受信機３ａ、３ｂ、３ｃにより受信された信号は、更にパーソナルコンピュータ５に送信されて、内部の演算部等によって上記主要被写体１と準主要被写体２との位置関係が演算される。そして、このパーソナルコンピュータ５内で演算された主要被写体１と準主要被写体２との位置関係の情報が、カメラ６に送信されて、例えばファインダ内の表示部に表示される。
【００２６】
上述した発信器からは、主要被写体、準主要被写体のＩＤ番号を含めた位置情報が発信される。このＩＤ情報は、例えば、図２に示されるような情報表により、撮影者が適宜選択可能になっている。そして、このＩＤ情報表は、例えばサッカーの試合ならば、試合中に電光掲示板等に表示されるようにしておく。また、当日のメンバー表に付記して、このＩＤ情報表を配布する等により告知されるようにしておけば良い。
【００２７】
主要被写体、準主要被写体の設定は、例えば、こうしたＩＤ情報表を参照して、撮影者はカメラ側のＩＤ設定部により、ＩＤ番号が「Ａ０１」であるＪチームの選手１にカーソル７を合わせる。そして、この選手１に対して主要被写体であることを選択すれば、主要被写体であることを表す二重丸のマーク８ａが表示される。同様にして、ＩＤ番号が「Ｃ０４」であるボールに対して、準主要被写体であることを表す白丸のマーク８ｂが表示される。
【００２８】
これにより、撮影者は、主要被写体１と準主要被写体２との位置関係を把握することができる。
【００２９】
図３は、本発明の一実施形態を示すもので、画像記録システムの基本的な構成を示すブロック図である。
【００３０】
図３に於いて、この画像記録システムは、大別して、主要被写体１１及び準主要被写体１２の位置情報を発信する発信回路１３及び１４と、少なくとも３つの送受信機１６ａ、１６ｂ、１６ｃと、受信回路（入力部）２０を含む演算装置（演算手段）２１と、位置情報発信回路３６を含むカメラ３０とから構成される。
【００３１】
尚、本実施の形態のカメラ３０は、後述する位置関係表示モードを選択することで、演算装置２１からの情報に基づいて、合焦動作や被写体の位置関係を表示する。そして、その他のモードでは、カメラ３０が有する測距回路での測距結果に基づいて、合焦動作を行う。つまり、モードに応じて、カメラ３０が有する測距回路の測距結果を利用するか否かが切り替え可能なようになっている。
【００３２】
主要被写体１１及び準主要被写体１２の位置情報は、当該主要被写体１１及び準主要被写体１２に取り付けられた発信回路１３及び１４によって、上述した少なくとも３つの送受信機１６ａ〜１６ｃに向けて供給される。すなわち、上記主要被写体１１及び準主要被写体１２に割り当てられたＩＤ情報に対応した信号が、発信回路１３及び１４から発信されて、少なくとも３つの送受信機１６ａ〜１６ｃに向けて発信される。
【００３３】
尚、上記発信回路１３は第１位置情報出力手段、第１の発信手段に相当し、発信回路１４は第２位置情報出力手段、第２の発信手段に相当する。
【００３４】
一方、カメラ３０内は、撮影者が上述した主要被写体１１及び準主要被写体１２のＩＤ情報を設定するべく設定手段（被写体設定手段、設定情報出力部）としてのＩＤ設定部３１と、これらの情報を表示する表示手段としての表示部３２とを有している。尚、このＩＤ設定は、例えば、試合中であっても適宜変更が可能である。
【００３５】
また、このカメラ３０の近傍、若しくはカメラ３０内部には、カメラ３０がどの位置に存在するのか、その位置（観察点）を設定するための位置情報に対応した信号を発信する位置情報発信回路３６が設けられている。この位置情報発信回路３６は、位置情報出力部、第３位置情報出力手段、第３の発信手段に相当する。
【００３６】
少なくとも３つの送受信機１６ａ〜１６ｃは、それぞれ発信装置（１）１７ａ〜（３）１７ｃと、受信手段としての位置情報受信装置（１）１８ａ〜（３）１８ｃとを有して構成されている。上記位置情報受信装置（１）１８ａ〜（３）１８ｃでは、上記発信回路１３及び１４からの信号と、位置情報発信回路３６からの信号が受信されて、上記主要被写体１１及び準主要被写体１２の位置と、カメラ３０の位置に関する情報が、発信装置（１）１７ａ〜（３）１７ｃに供給される。そして、発信装置（１）１７ａ〜（３）１７ｃから、受信回路２０に向けて、上述した主要被写体１１及び準主要被写体１２の位置と、カメラ３０の位置に関する情報が送信される。
【００３７】
演算装置２１は、例えばパーソナルコンピュータ等により構成されるもので、主要／準主要被写体距離演算部２２と、主要〜準主要被写体距離演算部２３と、接近・離間判別部２４と、近接状態判別部２５とを有している。上記主要／準主要被写体距離演算部２２は、カメラ３０から主要被写体１１までの距離と、カメラ３０から準主要被写体１２までの距離を演算するためのものである。また、主要〜準主要被写体距離演算部２３は、主要被写体１１と準主要被写体１２との距離を演算するためのものである。更に、接近・離間判別部（接近・離間判別手段）２４は、主要被写体１１と準主要被写体１２とが、接近しつつある状態であるのか離間していく状態であるのかを判別するためのものである。また、近接状態判別部（近接状態判別手段）２５は、主要被写体１１と準主要被写体１２とが近接状態であるか否かを判別するためのものである。
【００３８】
そして、上記主要／準主要被写体距離演算部２２、主要〜準主要被写体距離演算部２３、接近・離間判別部２４及び近接状態判別部２５で得られた結果は、演算結果送信回路２７から演算結果受信回路２８を介してカメラ３０へ供給される。
【００３９】
また、カメラ３０内のＩＤ設定部３１で設定されたＩＤ情報等は、設定情報発信回路３４から設定情報受信回路３５を介して演算装置２１に供給される。
【００４０】
このような構成に於いて、撮影者により、カメラ３０内の表示部３２に表示された図２に示されるようなＩＤ情報表を見ながら、ＩＤ設定部３１が操作されて主要被写体１１及び準主要被写体１２が設定される。すると、設定された主要被写体１１及び準主要被写体１２のＩＤ情報が、設定情報発信回路３４、設定情報受信回路３５を介して演算装置２１へ供給される。
【００４１】
少なくとも３つの送受信機１６ａ〜１６ｃでは、位置情報受信装置（１）１８ａ〜（３）１８ｃにて、上記位置情報発信回路３６から発信されたカメラ３０の位置情報と、発信回路１３及び１４から発信された主要被写体１１及び準主要被写体１２の位置情報発が受信される。そして、カメラ３０、主要被写体１１及び準主要被写体１２の位置に関する情報が、発信装置（１）１７ａ〜（３）１７ｃに供給される。更に、これらカメラ３０、主要被写体１１及び準主要被写体１２の位置に関する情報は、受信回路２０を介して演算装置２１に供給される。
【００４２】
演算装置２１内では、主要／準主要被写体距離演算部２２にて、カメラ３０から主要被写体１１までの距離と、カメラ３０から準主要被写体１２までの距離が演算される。主要〜準主要被写体距離演算部２３では、主要被写体１１と準主要被写体１２との距離が演算される。また、接近・離間判別部２４では、主要被写体１１と準主要被写体１２とが、接近しつつある状態であるのか、離間していく状態であるのかが判別される。更に、近接状態判別部２５では、主要被写体１１と準主要被写体１２とが近接状態であるか否かが判別される。
【００４３】
こうして演算装置２１内で得られた演算結果並びに判別結果は、演算結果送信回路２７及び演算結果受信回路２８を介して、カメラ３０に供給される。これにより、カメラの表示部３２の表示により、カメラ３０から主要被写体１１間での距離、カメラ３０から準主要被写体１２までの距離、主要被写体１１と準主要被写体１２との距離、主要被写体１１と準主要被写体１２とが接近しつつある状態か否か、離間しつつある状態か否か、どのくらい離間しているか、等の情報を得ることができる。
【００４４】
尚、上記演算結果送信回路２７及び設定情報受信回路３５は、受信回路２０と共に演算装置２１に含まれる構成であっても良い。同様に、演算結果受信回路２８及び設定情報発信回路３４は、位置情報発信回路３６と共にカメラ３０内に含まれる構成であっても良い。
【００４５】
また、上記受信回路２０は、演算装置２１がパーソナルコンピュータ（ＰＣ）等で構成される場合、拡張スロットに装填されるＰＣカードや、アクセサリ等のアダプタとして構成しても良い。
【００４６】
或いは、演算装置２１、受信回路２０、演算結果送信回路２７、演算結果受信回路２８、設定情報発信回路３４、設定情報受信回路３５、位置情報発信回路３６は、カメラ３０と一体的に構成されるものであっても良い。
【００４７】
図４は、上述したカメラ３０の主要部を示すブロック構成図である。
【００４８】
図４に於いて、制御手段である制御回路４０は、本実施形態のカメラ３０内の制御動作を司るもので、例えば中央演算装置（ＣＰＵ）により構成される。この制御回路４０には、位置情報発信回路３６と、撮影レンズ４１の移動状態を検知するためのレンズ移動検知回路４２と、上記撮影レンズ４１を光軸方向に移動させるためのレンズモータ４３を駆動するためのモータ駆動回路４４とが接続されている。
【００４９】
また、制御回路４０には、カメラから被写体までの距離を測定する測距回路４５と、被写体の露光量を測定する測光回路４６と、絞り４８の状態を検出するための絞り状態検出回路４９と、該絞り４８の状態を制御するための絞り制御回路５０と、シャッタ５２の状態を検出するためのシャッタ状態検出回路５３と、上記シャッタ５２を開閉駆動するシャッタモータ５４を駆動するためのシャッタ制御回路５５と、被写体像を撮像して電気信号に変換する光電変換素子等を含む撮像部５６と、ファィンダ内表示回路５７を介してファィンダ内表示部５８とが接続されている。
【００５０】
更に、制御回路４０には、２段押しのレリーズ釦６０に対応したファースト（１ｓｔ）レリーズ検知スイッチ６１及びセカンド（２ｎｄ）レリーズ検知スイッチ６２と、決定釦６３に対応した決定釦検知スイッチ６４と、設定釦６５に対応した設定釦検知スイッチ６６と、撮影モード切り換えスイッチ６９と、選択ダイアル７０に対応した選択ダイアル検知スイッチ７１と、モード設定回路７２と、表示回路７３を介した表示部７４と、設定情報発信回路３４と、演算結果受信回路２８とが接続されている。
【００５１】
上記ファィンダ内表示部５８は、撮影画面と共に、詳細を後述するように、主要被写体１１と準主要被写体１２との位置関係等を表示するための表示部である。
【００５２】
上記決定釦６３は、ＩＤ設定部３１に対応するもので、選択ダイアル７０により選択された被写体を決定するための釦である。また、設定釦６５は、カメラ３０の機能に応じて、例えば撮影モード、再生モード等の各種モードを設定するための釦である。
【００５３】
上記撮影モード切り換えスイッチ６９は、上記設定釦６６で撮影モードが設定された場合に、例えば撮影者が、被写体のＩＤ情報等の外部情報を利用した撮影を行うか、外部情報を必要としない撮影を行うか等の、撮影モードの切り換えを行うためのスイッチである。
【００５４】
上記選択ダイアル７０は、撮影者が何れの被写体を主要被写体１１、準主要被写体１２にするかを選択するための選択手段としてのダイアルである。ここで選択された被写体は、表示回路７３を介してカメラ３０の背面に設けられたＬＣＤ等で構成された表示部７４に表示されるようになっている。
【００５５】
上記設定情報発信回路３４は、撮影者により設定された情報に対応した信号を演算装置２１に向けて発信するための回路である。そして、位置情報発信回路３６は、カメラ３０の位置情報に対応した信号を、送受信機１６ａ〜１６ｃに向けて発信するための回路である。また、演算結果受信回路２８は、送受信機１６ａ〜１６ｃから演算装置２１を介して受信された被写体の位置情報とカメラの位置情報とを受信するための回路である。
【００５６】
そして、測距回路４５でカメラ３０から各被写体までの距離が測定されると共に、被写体の明るさが測光回路４６で測定される。また、レンズ移動状態検知回路４２及びモータ駆動回路４４、レンズモータ４３を通じて撮影レンズ４１が光軸方向に移動される。
【００５７】
尚、カメラ３０は、測距回路４５の測距結果に基づいて合焦動作を行うモードと、演算結果受信回路２８により得られた被写体までの距離情報に基づいて合焦動作を行うモードとを切り替えることができる。
【００５８】
次に、このように構成されたカメラ３０の動作について説明する。尚、以下に述べる種々の動作は、ＣＰＵ４０により制御される。
【００５９】
図５は、本実施形態のカメラ３０のメインの動作を説明するフローチャートである。
【００６０】
ステップＳ１にてカメラ３０の電源がオンされると、続くステップＳ２にて初期化が行われる。次いで、ステップＳ３に於いて、撮影モードか否かが判別される。ここで、撮影モードである場合はステップＳ４へ移行し、そうでない場合はステップＳ６へ移行する。
【００６１】
ステップＳ４では、詳細を後述するサブルーチン「撮影モード」が実行される。そして、このサブルーチン「撮影モード」が実行された後は、ステップＳ５に於いて電源の状態が判別される。ここで、電源がオン状態であれば上記ステップＳ３へ移行し、オフ状態であれば本ルーチンが終了する。
【００６２】
一方、上記ステップＳ３で撮影モード以外であると判別された場合は、ステップＳ６にて設定釦６５の状態が判別される。ここで、設定釦６５が押されるまでこの処理が繰り返され、設定釦６５が押されるとステップＳ７へ移行する。そして、このステップＳ７では、表示部７４にメニュー表示が行われる。
【００６３】
続くステップＳ８では、上記ステップＳ７にて表示されたメニュー画面から、撮影者によって所望のモードが選択されて決定釦６３が押されたか否かが判別される。ここで、決定釦６３が押されていない場合はステップＳ９へ移行し、押されている場合はステップＳ１１へ移行する。
【００６４】
ステップＳ９では、スクロール操作が行われたか否かが判別される。つまり、表示部７４に表示されるメニュー画面は１画面では収まりきらない場合、画面をスクロールしてモード等を表示するようになっている。したがって、ステップＳ９にてスクロール操作が行われていれば、ステップＳ１０に移行して画面のスクロール処理が行われる。その後、上記ステップＳ８へ移行する。また、上記ステップＳ９にて、画面スクロール操作が行われていない場合は、ステップＳ１０は通らずに上記ステップＳ８へ移行する。
【００６５】
ステップＳ１１では、被写体選択モードであるか否かが判別される。ここで、被写体選択モードである場合は、ステップＳ１２に移行して、詳細を後述するサブルーチン「被写体選択」の処理が実行される。その後、ステップＳ１４へ移行する。
【００６６】
一方、上記ステップＳ１１にて、被写体選択モード以外のモードが選択されている場合は、ステップＳ１３に移行して、被写体選択モード以外の選択されたモードに応じた処理が実行される。その後、ステップＳ１４へ移行する。
【００６７】
ステップＳ１４では、電源の状態が判別される。ここで、電源がオン状態である場合は上記ステップＳ３へ移行し、オフ状態である場合は本ルーチンが終了する。
【００６８】
次に、図６のフローチャートを参照して、上述した図５のフローチャートのステップＳ１２に於けるサブルーチン「被写体選択」の動作を説明する。
【００６９】
上述したように、図５のフローチャートのステップＳ１２に於いて、サブルーチン「被写体選択」のシーケンスが実行されると、先ずステップＳ２１に於いて、確認のために被写体選択モードであるか否かが判別される。ここで、被写体選択モードであればステップＳ２２へ移行し、そうでない場合は本ルーチンを抜ける。
【００７０】
ステップＳ２２では、本カメラ３０と演算装置（例えばパーソナルコンピュータ）２１との間で通信の確認が行われる。そして、ステップＳ２３では、通信の状態が判別される。ここで、通信が確立されなかった場合はステップＳ２４へ移行して、表示部７４にエラー表示がなされる。その後、本ルーチンを抜ける。
【００７１】
一方、上記ステップＳ２３にて通信が確立された場合は、ステップＳ２５に移行して通信中であることが表示部７４に表示される。次いで、ステップＳ２６にて、選択対象が表示される。この選択対象とは、例えば上述したＩＤ情報表である。このＩＤ情報表に基づいて、撮影者は所望とする選手等を主要被写体と準主要被写体として選択するわけである。
【００７２】
次に、ステップＳ２７に於いて、主要被写体について決定釦６３が押されたか否かが判別される。ここで、決定釦６３が押されていない場合は、ステップＳ２８に移行してＩＤ用の選択ダイアル７０が操作されたか否かが判別される。ここで、選択ダイアル７０が操作されたならば、ステップＳ２９へ移行して、表示部７４に表示されている画面のＩＤ情報表がスクロールまたはＩＤ情報表上でカーソルの移動が行われる。そして、再び上記ステップＳ２７へ移行して決定釦６３の状態が判別される。しかしながら、上記ステップＳ２８にて選択ダイアル７０が操作されない場合は、ステップＳ２９をスキップして上記ステップＳ２７へ移行する。
【００７３】
上記ステップＳ２７にて決定釦６３が押された場合は、続くステップＳ３０にて主要被写体１１に対する決定処理がなされる。
【００７４】
ステップＳ３１では、再び選択対象が表示される。そして、ステップＳ３２に於いて、今度は準主要被写体体について決定釦６３が押されたか否かが判別される。ここで、決定釦６３が押されていない場合は、ステップＳ３３に移行してＩＤ用の選択ダイアル７０が操作されたか否かが判別される。ここで、選択ダイアル７０が操作されたならば、ステップＳ３４に移行して、表示部７４に表示されている画面のＩＤ情報表がスクロールまたはＩＤ情報表上でカーソルの移動が行われる。そして、再び上記ステップＳ３２へ移行して決定釦６３の状態が判別される。しかしながら、上記ステップＳ３３にて選択ダイアル７０が操作されない場合は、ステップＳ３４をスキップして上記ステップＳ３２へ移行する。
【００７５】
上記ステップＳ３２にて決定釦６３が押された場合は、続くステップＳ３５にて準主要被写体１２に対する決定処理がなされる。
【００７６】
そして、ステップＳ３６では、決定された主要被写体１１と準主要被写体１２のＩＤ情報が、設定情報発信回路３４から設定情報受信回路３５を経て、演算装置２１に出力される。その後、本ルーチンを抜ける。
【００７７】
図７及び図８は、図３の演算装置２１のメインの動作を説明するフローチャートである。
【００７８】
ステップＳ４１にて演算装置２１の電源がオンされると、続くステップＳ４２にて初期化が行われる。次いで、ステップＳ４３に於いて、本演算装置２１とカメラ３０との間で通信の確認が行われる。そして、ステップＳ４４では、通信の状態が判別される。ここで、通信が確立されなかった場合はステップＳ４５へ移行してエラー表示がなされる。その後、ステップＳ４６にて電源の状態が確認され、電源がオン状態の場合は上記ステップＳ４３へ移行し、オフ状態の場合は本ルーチンを抜ける。
【００７９】
一方、上記ステップＳ４４にて通信が確立された場合は、ステップＳ４７に移行して、設定情報受信回路３５を介してＩＤ情報が演算装置２１に受信されたか否かが判別される。ここで、上記ＩＤ情報が受信された場合は、ステップＳ４９に移行して、主要被写体１１のＩＤ情報と、準主要被写体１２のＩＤ情報が保存される。一方、ＩＤ情報が受信されない場合は、ステップＳ４８をスキップしてステップＳ４９に移行する。
【００８０】
ステップＳ４９では、被写体からの送信タイミングを表すＴｎにＴ０がセットされる。次いで、ステップＳ５０では、送受信機１６ａ〜１６ｃ内の発信装置１７ａ〜１７ｃからの信号ＣＨ１＿ＸＮ＿Ｔｎ、ＣＨ２＿ＸＮ＿Ｔｎ、ＣＨ３＿ＸＮ＿Ｔｎが受信されて記憶される。尚、ＸＮは、図２に示されるＩＤ情報を示す。つまり、各選手、レェフリー、ボールに配された発信回路からは、所定の時間間隔で常に信号が発信されている。そして、各送受信機１６ａ〜１６ｃは、これらの信号を受信し、演算装置２１に向けて発信している。
【００８１】
次いで、ステップＳ５１にて、カメラ３０からの位置情報要求信号を受信したか否かが判別される。ここで、位置情報の要求が無い場合はステップＳ５２へ移行して電源の状態が判別される。その結果、電源がオン状態であれば上記ステップＳ４３へ移行し、オフ状態であれば本ルーチンを抜ける。また、上記ステップＳ５１にて位置情報の要求がある場合は、ステップＳ５３へ移行する。
【００８２】
ステップＳ５３では、主要被写体１１及び準主要被写体１２のＩＤ情報の有無が判別される。ここで、両者のＩＤ情報がある場合はステップＳ５６へ移行して、ＩＤ情報が読み出されるが、そうでない場合はステップＳ５４へ移行してエラー表示がなされる。その後、ステップＳ５５にて電源の状態が判別される。その結果、電源がオン状態であれば上記ステップＳ４３へ移行し、オフ状態であれば本ルーチンが終了する。
【００８３】
ステップＳ５７では、カメラ３０の位置情報が受信されたか否かが判別される。ここで、位置情報が受信されない場合はステップＳ５４へ移行し、受信された場合はステップＳ５８へ移行する。
【００８４】
ステップＳ５８では、受信されたカメラ位置情報が記憶される。そして、ステップＳ５９にて、再度カメラ３０の位置情報が読み出される。続くステップＳ６０では、主要被写体１１とカメラ３０との間の距離ＣＯＤｎが演算されて記憶される。更に、ステップＳ６１では、主要被写体１１と準主要被写体１２との間の距離ＯＯＤｎが演算されて記憶される。
【００８５】
次に、ステップＳ６２にてタイミングが更新されると、ステップＳ６３にて、再度送受信機１６ａ〜１６ｃ内の発信装置１７ａ〜１７ｃからの信号ＣＨ１＿ＸＮ＿Ｔｎ＋１、ＣＨ２＿ＸＮ＿Ｔｎ＋１、ＣＨ３＿ＸＮ＿Ｔｎ＋１が受信されて記憶される。
【００８６】
ステップＳ６４では、上記ステップＳ６２で更新されたタイミングでの主要被写体１１とカメラとの間の距離ＣＯＤｎ＋１が演算されて記憶される。次いで、ステップＳ６５にて、この距離ＣＯＤｎ＋１の情報がカメラ３０に出力される。同様に、ステップＳ６６にて、上記ステップＳ６２で更新されたタイミングでの主要被写体１１と準主要被写体１２との間の距離ＯＯＤｎ＋１が演算されて記憶される。そして、ステップＳ６７にて、この距離ＯＯＤｎ＋１の情報がカメラ３０に出力される。
【００８７】
ステップＳ６８では、主要被写体１１と準主要被写体１２との間の距離ＯＯＤｎ＋１が所定値ＯＯＤ0 と比較される。ここで、上記距離ＯＯＤｎ＋１が上記所定値よりも小さければ、ステップＳ６９へ移行して、主要被写体１１と準主要被写体１２との間の距離が所定距離よりも近接していることを表す近距離情報がカメラ３０に出力される。一方、上記ステップＳ６８にて上記距離ＯＯＤｎ＋１が上記所定値以上であれば、ステップＳ７０へ移行して、主要被写体１１と準主要被写体１２との間の距離が離間している状態であるので、その旨を表す近距離解除信号がカメラ３０に出力される。
【００８８】
ステップＳ７１では、単位時間当たりの変化量が所定値ΔＯＯＤと比較される。ここで、変化量が小さいと判別されたならば、ステップＳ７２に移行して、接近／離間解除信号がカメラ３０に出力される。一方、上記変化量が大きいと判別されたならば、ステップＳ７３に移行して、その変化量がプラスであるかマイナスであるかが判別される。
【００８９】
ここで、変化量がプラスであれば、主要被写体１１と準主要被写体１２は離れつつあるものと判別されて、ステップＳ７４に移行して離間中情報がカメラ３０に出力される。また、上記変化量がマイナスであれば、主要被写体１１と準主要被写体１２は接近しつつあると判別されて、ステップＳ７５に移行して接近中情報がカメラ３０に出力される。
【００９０】
次いで、ステップＳ７６では、カメラ３０から発信される位置関係表示モードの解除信号を受信したか否かが判別される。ここで、解除信号が無い場合は上記ステップＳ６２へ移行する。一方、解除信号がある場合は、ステップＳ７７へ移行して電源の状態が判別される。その結果、電源がオン状態であれば上記ステップＳ４３へ移行する。しかしながら、電源がオフ状態であれば、本ルーチンが終了する。
【００９１】
次に、図９及び図１０のフローチャートを参照して、上述した図５のフローチャートのステップＳ４に於けるサブルーチン「撮影モード」の動作を説明する。
【００９２】
上述したように、図５のフローチャートのステップＳ４に於いて、サブルーチン「撮影モード」のシーケンスが実行されると、ステップＳ８１に於いて、先ず、位置関係表示モードであるか否かが判別される。ここで、位置関係表示モードであればステップＳ８３へ移行するが、そうでない場合はステップＳ８２へ移行する。ステップＳ８２では、位置関係表示モード以外の各撮影モードに応じた処理がなされる。その後、本ルーチンを抜ける。
【００９３】
一方、ステップＳ８３に於いて、演算装置２１との通信の状態が判別される。ここで、通信が確立されていない場合はステップＳ８４へ移行してエラー表示がなされる。その後、本ルーチンを抜ける。一方、上記ステップＳ８３にて通信が確立された場合は、ステップＳ８５に移行して通信中であることが表示部７４やファインダ内表示部５８に表示される。
【００９４】
そして、ステップＳ８６では、位置情報要求信号が、カメラ３０から演算装置２１に向けて出力される。この位置情報要求信号に基づいて、上述したステップＳ５１の判断がなされる。次いで、ステップＳ８７にて、カメラ位置情報が位置情報発信回路３６を通じて送受信機１６ａ〜１６ｃに向けて出力される。このとき、送受信機１６ａ〜１６ｃは、受信したカメラ位置情報を演算装置２１に向けて発信し、上述したステップＳ５７の判断がなされる。
【００９５】
次いで、ステップＳ８８に於いて、上述したステップＳ６５で演算装置２１から発信されるカメラ３０と主要被写体１１との間の距離情報ＣＯＤが受信されたか否かが判別される。ここで、上記主要被写体１１の距離情報ＣＯＤが受信されたならば、ステップＳ８９へ移行して撮影レンズ４１が移動されて合焦動作が行われる。
【００９６】
次に、ステップＳ９０では、上述したステップＳ６７で演算装置２１から発信される主要被写体１１と準主要被写体１２との間の距離情報ＯＯＤが受信されたか否かが判別される。ここで、上記被写体間の距離情報ＯＯＤが受信されたならば、ステップＳ９１に移行して被写体間距離情報がファインダ内表示部５８に表示される。
【００９７】
図１１は、こうしたファインダ内表示部５８の表示例を示した図である。このファィンダ内表示部５８は、例えば被写体を表示する被写体表示部５８ａと、被写体間距離情報を表示する被写体間距離表示部５８ｂとで構成されている。
【００９８】
被写体表示部５８ａに於いては、主要被写体１１を含む被写体が表示されると共に、カメラ３０が通信中であることを表示する通信表示８１が表示される。例えば、この通信表示８１は、通信中が常時点灯或いは点滅表示され、通信エラー時に非表示状態となるように、通信中と通信エラー時で表示形態が異なる形態であれば良い。或いは、通信中が常時点灯表示され、通信エラー時に点滅表示されるように構成されても良い。
【００９９】
一方、被写体間距離情報表示部５８ｂに於いては、主要被写体１１と準主要被写体１２との距離が接近していることを表す近接表示８２と、主要被写体１１と準主要被写体１２との距離が離間していることを表す離間表示８３と、主要被写体１１と準主要被写体１２との距離を表す距離インジケータ８４と、主要被写体１１と準主要被写体１２との距離、カメラ３０と主要被写体１１との距離等を表す距離表示８５とから構成されている。
【０１００】
この場合、例えば、近接表示８２や離間表示８３は、後述するように、主要被写体１１と準主要被写体１２との距離が接近しつつある状態、或いは離間しつつある状態であれば、撮影者の注意を促すように、それぞれの表示が点滅するように構成されている。
【０１０１】
また、距離インジケータ８４は、主要被写体１１と準主要被写体１２との距離を視覚的に表示するものである。両者の被写体が近づくほど接近表示８２側に移動し、離れるほど離間表示８３側に移動する。更に、この距離インジケータ８４は、通常の距離では点灯状態であり、所定の距離以内になれば点滅表示されるように、表示形態が変化するものであっても良い。或いは、通常青色の点灯であったものが、所定距離以内になれば赤色の点灯表示に切り替わる等、撮影者が一目で判別できるものであれば良い。
【０１０２】
更に、距離表示８５は、主要被写体１１と準主要被写体１２との距離や、カメラ３０と主要被写体１１との距離、或いはカメラ３０と準主要被写体１２との距離、というように、撮影者の意図に応じて表示の切り換えが可能である。
【０１０３】
ステップＳ９２では、上述したステップＳ６９で演算装置２１から発信される近距離情報が受信されたか否かが判別される。ここで、近距離情報が受信されたならば、ステップＳ９３に移行して近接表示８２が点滅表示されるか、或いは距離インジケータ８４が点滅表示されて、撮影者は被写体間が近距離である旨を把握することができる。
【０１０４】
尚、この近接距離情報について、その閾値となる距離（所定値）は撮影者の所望の値に設定変更が可能である。また、この近接距離情報は、撮影レンズの焦点距離に応じて変化する。すなわち、焦点距離の短いレンズでは所定値は大となり、焦点距離の長いレンズでは所定値は小となる。
【０１０５】
ステップＳ９４では、上記ステップＳ９２にて近距離情報が受信されていないので、近距離表示の解除信号の有無が判別される。尚、この近距離表示の解除信号は、上述したステップＳ７０で演算装置２１から発信されるものである。この近距離表示解除信号がある場合は、ステップＳ９５へ移行して近距離である旨の表示がオフにされる。また、上記ステップＳ９４にて近距離表示信号が解除されない場合は、ステップＳ９５をスキップしてステップＳ９６へ移行する。
【０１０６】
ステップＳ９６では、上述した２つの被写体について接近中情報が受信されたか否かが判別される。この接近中情報は、上述したステップＳ７５で演算装置２１から発信されるものである。ここで、接近中情報が受信された場合は、ステップＳ９７へ移行して被写体間距離表示部５８ｂ内の近接表示８２、距離インジケータ８４、距離表示８５等により、接近中情報が表示される。
【０１０７】
一方、上記ステップＳ９６にて接近中情報が受信されない場合は、ステップＳ９８に移行して、離間中情報が受信されたか否かが判別される。この離間中情報は、上述したステップＳ７４で演算装置２１から発信されるものである。ここで、離間中情報が受信された場合は、ステップＳ９９に移行して被写体間距離表示部５８ｂ内の離間表示８３、距離インジケータ８４、距離表示８５等により、離間中である旨の表示がなされる。
【０１０８】
次に、ステップＳ１００に於いて、接近／離間解除信号の状態が判別される。この接近／離間解除信号は、上述したステップＳ７２で演算装置２１から発信されるものである。ここで、接近／離間解除信号がある場合は、ステップＳ１０１へ移行して、被写体間距離表示部５８ｂ内の近接表示８２、離間表示８３、距離インジケータ８４、距離表示８５等による接近中、または離間中表示がオフにされる。また、上記ステップＳ１００にて接近／離間解除信号が無い場合は、ステップＳ１０１をスキップしてステップＳ１０２へ移行する。
【０１０９】
ステップＳ１０２では、ファーストレリーズ検知スイッチ６１の状態が判別される。ここで、ファーストレリーズ検知スイッチ６１がオンされていればステップＳ１０４に移行し、オフの場合はステップＳ１０３へ移行する。このステップＳ１０３では、位置関係表示モードであるか否かが判別される。ここで、位置関係表示モードである場合は上記ステップＳ８８へ移行し、そうでない場合は本ルーチンを抜ける。
【０１１０】
ステップＳ１０４では、測光回路４６により測光が行われる。次いで、ステップＳ１０５に於いて、セカンドレリーズ検知スイッチ６２の状態が判別される。ここで、セカンドレリーズ検知スイッチ６２がオンされていればステップＳ１２６へ移行する。一方、セカンドレリーズ検知スイッチ６２がオフであれば、ステップＳ１０６へ移行する。
【０１１１】
ステップＳ１０６では、カメラ３０と主要被写体１１との間の距離情報ＣＯＤが受信されたか否かが判別される。ここで、主要被写体距離情報ＣＯＤが受信されない場合はステップＳ１０７へ移行し、受信された場合はステップＳ１０９へ移行する。
【０１１２】
ステップＳ１０７では、セカンドレリーズ検知スイッチ６２の状態が判別される。そして、セカンドレリーズ検知スイッチ６２がオンされていればステップＳ１２６へ移行し、オフであればステップＳ１０８へ移行する。ステップＳ１０８では、ファーストレリーズ検知スイッチ６１の状態が判別される。ここで、ファーストレリーズ検知スイッチ６１がオンされていれば上記ステップＳ１０６へ移行する。一方、ファーストレリーズ検知スイッチ６１がオフであれば、上記ステップＳ８８へ移行する。
【０１１３】
ステップＳ１０９では、上述したステップＳ１０６にて受信した主要被写体距離情報ＣＯＤに基づいて、レンズ移動状態検知回路４２、モータ駆動回路４４等により、合焦動作が行われる。そして、ステップＳ１１０に於いて、主要被写体１１と準主要被写体１２との間の被写体間距離情報ＯＯＤが受信されたか否かが判別される。ここで、被写体間距離情報ＯＯＤが受信されない場合はステップＳ１１１へ移行し、受信された場合はステップＳ１１３へ移行する。
【０１１４】
ステップＳ１１１では、セカンドレリーズ検知スイッチ６２の状態が判別される。そして、セカンドレリーズ検知スイッチ６２がオンされていればステップＳ１２６へ移行し、オフであればステップＳ１１２へ移行する。ステップＳ１１２では、ファーストレリーズ検知スイッチ６１の状態が判別される。ここで、ファーストレリーズ検知スイッチ６１がオンされていれば上記ステップＳ１１０へ移行する。一方、ファーストレリーズ検知スイッチ６１がオフであれば、上記ステップＳ８８へ移行する。
【０１１５】
ステップＳ１１３では、上記被写体間距離情報が、被写体間距離表示部５８ｂ内の距離表示８５等に表示される。次いで、ステップＳ１１４では、主要被写体１１と準主要被写体１２との間が所定距離よりも近距離である旨の近距離情報が受信されたか否かが判別される。ここで、近距離情報が受信されたならば、ステップＳ１１５へ移行して距離表示８５、距離インジケータ８４等により近距離情報が表示される。
【０１１６】
一方、上記ステップＳ１１４にて近距離情報が受信されなかった場合は、ステップＳ１１６に移行して近距離表示解除信号の有無が判別される。その結果、近距離表示解除信号がある場合は、ステップＳ１１７へ移行して近距離表示がオフにされる。また、ステップＳ１１６にて近距離表示解除信号が無い場合は、ステップＳ１１７をスキップしてステップＳ１１８へ移行する。
【０１１７】
ステップＳ１１８では、接近中情報が受信されたか否かが判別される。ここで、接近中情報が受信されたならばステップＳ１１９へ移行し、受信されなければステップＳ１２０へ移行する。上記ステップＳ１１９では、主要被写体１１と準主要被写体１２とが互いに接近中である旨を示す接近中表示が、被写体間距離表示部５８ｂ内の距離インジケータ８４、近接表示８２の点滅等により表示される。
【０１１８】
ステップＳ１２０では、主要被写体１１と準主要被写体１２との間が互いに離間中である旨の離間中情報が受信されたか否かが判別される。ここで、離間中情報が受信されたならば、ステップＳ１２１へ移行して、主要被写体１１と準主要被写体１２とが互いに離間中である旨を示すように、離間表示８３、距離インジケータ８４等により離間中情報が表示される。また、上記ステップＳ１２０にて離間中情報が受信され無ければ、ステップＳ１２１をスキップしてステップＳ１２２へ移行する。
【０１１９】
ステップＳ１２２では、接近／離間解除信号の有無が判別される。ここで、上記接近／離間解除信号がある場合は、ステップＳ１２３へ移行して離間表示８３の点滅表示が解除される等、離間中表示がオフにされる。一方、上記ステップＳ１２２にて、接近／離間解除信号が無い場合は、ステップＳ１２３をスキップしてステップＳ１２４へ移行する。
【０１２０】
このステップＳ１２４では、セカンドレリーズ検知スイッチ６２の状態が判別される。そして、セカンドレリーズ検知スイッチ６２がオンされていればステップＳ１２６へ移行し、オフであればステップＳ１２５へ移行する。ステップＳ１２５では、ファーストレリーズ検知スイッチ６１の状態が判別される。ここで、ファーストレリーズ検知スイッチ６１がオンされていれば上記ステップＳ１０６へ移行する。一方、ファーストレリーズ検知スイッチ６１がオフであれば、上記ステップＳ８８へ移行する。
【０１２１】
ステップＳ１２６では、シャッタ５２、絞り４８等が駆動制御されて露光が行われる。続くステップＳ１２７では、シャッタ５２、撮像部５６等により撮像が行われて、その取り込まれた画像のデータが制御部４０内の図示されない記録部に記録される。
【０１２２】
次いで、ステップＳ１２８に於いて、位置関係表示モードが解除されたか否かが判別される。ここで、位置関係表示モードである場合は、本サブルーチン「撮影モード」を抜けて、図５のフローチャートに於けるステップＳ５へ移行する。
【０１２３】
一方、位置関係表示モードが解除された場合は、ステップＳ１２９へ移行して解除信号が出力される。この解除信号は、上述したステップＳ７６にて演算装置２１により受信される。そして、ステップＳ１３０にて通信表示８１の通信中である旨の表示がオフにされる。更に、ステップＳ１３１にて、被写体間距離表示部５８ｂ内の近接表示８２、離間表示８３、距離インジケータ８４、距離表示８５等の距離関連表示がオフにされる。その後、この「撮影モード」のサブルーチンを抜けて、上述した図５のフローチャートのステップＳ５へ移行する。
【０１２４】
尚、上述した実施形態に於いては、被写体間距離表示部５８ｂは、図１１に示されるような構成として説明したが、これに限られるものではない。
【０１２５】
図１２（ａ）及び（ｂ）は、被写体間距離表示部５８ｂの他の構成例を示した図である。
【０１２６】
図１２（ａ）に於いては、近接表示８２、離間表示８３、距離表示８５は、上述した図１１の被写体間距離情報表示部５８ｂ内の構成と同じであるが、距離インジケータ８７が、例えば５つの発光ダイオード（ＬＥＤ）により構成されている。この場合、距離インジケータ８７は、例えば、主要被写体１１と準主要被写体１２とが離間していればＬＥＤが消灯され（同図に於いて白色で表される）、主要被写体１１と準主要被写体１２とが近づくにつれてＬＥＤが接近する距離に応じて順次点灯される（同図に於いて斜線で表される）ように構成されている。
【０１２７】
加えて、近接表示８２や離間表示８３は、主要被写体１１と準主要被写体１２との距離が接近しつつある状態、或いは離間しつつある状態であれば、撮影者の注意を促すように、それぞれの表示が点滅するように構成されていても良い。
【０１２８】
尚、距離インジケータ８７は、ＬＥＤの消灯、点灯の別により被写体間距離を表していたが、これに限られるものではない。例えば、異なる色のＬＥＤを用いて近接、離間の状態を表すものであっても良い。
【０１２９】
また、図１２（ｂ）に於いては、被写体間距離情報表示部５８ｂは、近接表示８２と離間表示８３との間に、近接インジケータ８９と、離間インジケータ９０と、距離インジケータ９１が設けられている点が、図１１と異なっている。その他の構成は、図１１と同じであるので説明は省略する。
【０１３０】
図１２（ｂ）に於いて、例えば、近接インジケータ８９は被写体間距離が接近しつつある状態であれば点灯或いは点滅表示され、同様に離間インジケータ９０は被写体間距離が離間しつつある状態であれば点灯或いは点滅表示されるように構成されている。そして、距離インジケータ９１は、上記被写体間距離が所定の値以上に近付いた場合に点灯若しくは点滅表示されるように構成されている。
【０１３１】
また、この場合、近接表示８２及び離間表示８３は点灯表示されなくとも良い。
【０１３２】
更に、近接インジケータ８９、離間インジケータ９０及び距離インジケータ９１は、点灯或いは点滅表示されるように構成されているが、これに限られるものではない。例えば、被写体間が所定の距離以内になれば距離インジケータ９１を点滅表示させ、その近接距離に応じて距離インジケータ９１の点滅間隔を変化させるようにしても良い。
【０１３３】
或いは、近接インジケータ８９、離間インジケータ９０及び距離インジケータ９１は、その被写体間の距離に応じてＬＥＤの色が変化するように構成されていても良い。
【０１３４】
更に、上述した被写体表示部５８ａは、図１３に示されるように構成されるものであっても良い。
【０１３５】
例えば、被写体表示部５８ａ内には、主要被写体１１を表示すると共に、画面外に存在する準主要被写体１２の方向を表すインジケータ９２ａ、９２ｂ、９２ｃ、９２ｄが表示されている。これらのインジケータ９２ａ〜９２ｄは、準主要被写体１２が主要被写体１１から離間している場合は消灯状態で表される（同図に於いて白色で表される）。しかしながら、準主要被写体１２が主要被写体１１に接近しつつある場合は、被写体表示部５８ａの画面外の何れの方向に準主要被写体１２が存在するかによって、該当する方向のインジケータ９２ａ〜９２ｄの何れかが点灯若しくは点滅表示される（同図に於いて黒色で表される）。
【０１３６】
これにより、距離インジケータ８４や近接表示８２の表示だけでなく、接近しつつある準主要被写体１２の方向まで把握することができるので、撮影者はシャッタチャンスを逃すことが軽減される。
【０１３７】
このように本実施の形態によれば、主要被写体１１と準主要被写体１２との距離関係を表示することにより、準主要被写体１２が撮影範囲外に位置しておりファインダ内で確認できずとも、両者の位置関係を把握することができる。また、準主要被写体１２が所定距離よりも主要被写体１１に接近していることも表示することで、次の瞬間に両者が同一画面内に入り得るか否かを容易に判断することができる。更に、主要被写体１１と準主要被写体１２とが接近中離間中であるのかをも表示しているので、両者の位置関係の時間的な変化も容易に把握することができる。
【０１３８】
尚、本実施の形態では、距離に関する表示をファインダ内にて表示するようにしているが、例えばデジタルカメラ等の背面に配置される表示手段上に表示しても良い。また、音により撮影者に告知するようにしても良い。
【０１３９】
以上、この発明の実施形態について説明したが、この発明の主旨を逸脱しない範囲で変形可能であることはもちろんである。
【図面の簡単な説明】
【０１４０】
【図１】本発明の画像記録システム、カメラ及び被写体観察システムの概要について説明する図である。
【図２】主要被写体、準主要被写体の設定例について説明するもので、ＩＤ情報表の例を示した図である。
【図３】本発明の一実施形態を示すもので、画像記録システムの基本的な構成を示すブロック図である。
【図４】図３のカメラ３０の主要部を示すブロック構成図である。
【図５】本実施形態のカメラ３０のメインの動作を説明するフローチャートである。
【図６】図５のフローチャートのステップＳ１２に於けるサブルーチン「被写体選択」の動作を説明するフローチャートである。
【図７】図３の演算装置２１のメインの動作を説明するフローチャートである。
【図８】図３の演算装置２１のメインの動作を説明するフローチャートである。
【図９】図５のフローチャートのステップＳ４に於けるサブルーチン「撮影モード」の動作を説明するフローチャートである。
【図１０】図５のフローチャートのステップＳ４に於けるサブルーチン「撮影モード」の動作を説明するフローチャートである。
【図１１】ファインダ内表示部５８の表示例を示した図である。
【図１２】被写体間距離表示部５８ｂの他の構成例を示した図である。
【図１３】被写体表示部５８ａの他の構成例を示した図である。
【符号の説明】
【０１４１】
１、１１…主要被写体、２、１２…準主要被写体、３ａ〜３ｃ、１６ａ〜１６ｃ…送受信機、５…パーソナルコンピュータ、６、３０…カメラ、１３、１４…発信回路、１７ａ〜１７ｃ…発信装置（１）〜（３）、１８ａ〜１８ｃ…位置情報受信装置（１）〜（３）、２０…受信回路、２１…演算装置、２２…主要／準主要被写体距離演算部、２３…主要〜準主要被写体距離演算部、２４…接近・離間判別部、２５…近接状態判別部、２７…演算結果送信回路、２８…演算結果受信回路、３１…ＩＤ設定部、３２…表示部、３４…設定情報発信回路、３５…設定情報受信回路、３６…位置情報発信回路、４０…制御回路（ＣＰＵ）、４１…撮影レンズ、４２…レンズ移動検知回路、４４…モータ駆動回路、４５…測距回路、４６…測光回路、４８…絞り、４９…絞り状態検出回路、５０…絞り制御回路、５２…シャッタ、５３…シャッタ状態検出回路、５５…シャッタ制御回路、５６…撮像部、５７…ファィンダ内表示回路、５８…ファィンダ内表示部、５８ａ…被写体表示部、５８ｂ…被写体間距離表示部、６１…ファースト（１ｓｔ）レリーズ検知スイッチ、６２…セカンド（２ｎｄ）レリーズ検知スイッチ、６４…決定釦検知スイッチ、６６…設定釦検知スイッチ、６９…撮影モード切り換えスイッチ、７１…選択ダイアル検知スイッチ、７２…モード設定回路、７３…表示回路、７４…表示部、７７…設定情報発信回路、７８…演算結果受信回路、８１…通信表示、８２…近接表示、８３…離間表示、８４…距離インジケータ、８５…距離表示。
【図１】
2005203860.tif 000003
【図２】
2005203860.tif 000004
【図３】
2005203860.tif 000005
【図４】
2005203860.tif 000006
【図５】
2005203860.tif 000007
【図６】
2005203860.tif 000008
【図７】
2005203860.tif 000009
【図８】
2005203860.tif 000010
【図９】
2005203860.tif 000011
【図１０】
2005203860.tif 000012
【図１１】
2005203860.tif 000013
【図１２】
2005203860.tif 000014
【図１３】
2005203860.tif 000015